(57)【特許請求の範囲】
【請求項１】
(イ)先端部に吐水口を有する吐水管と、(ロ)該吐水管とは別体をなして該吐水管の基端側に配置され、該吐水管の基端部を内部に嵌入させた基体と、(ハ)該吐水管及び基体をカウンター等取付体に固定するための部材であって、該吐水管側の先端側部分が該吐水管の内部に嵌入し、反対側の部分が該基体から該吐水管とは逆向きに突き出した固定用の軸体と、を有し
且つ該固定用の軸体と該吐水管と該基体とが、それらの重なり部分で、該基体に固定されて該吐水管及び該軸体側に突き出した凸形状をなす共通の連結部材にて連結されていることを特徴とする水栓器具。
【請求項２】
請求項１において、前記基体が内側の凹所にバルブカートリッジを収容する水栓本体であって、前記連結部材が該内側の凹所から前記吐水管及び前記軸体側に突き出していることを特徴とする水栓器具。
【発明の詳細な説明】
【技術分野】
【０００１】
この発明は固定用の軸体を有し、その軸体を介してカウンター等の取付体に取付固定される水栓器具に関する。
【背景技術】
【０００２】
従来、固定用の軸体を有し、その固定用の軸体を介してカウンター等の取付体に取付固定される水栓器具が公知である。
例えば下記特許文献１にこの種の水栓器具が開示されている。
図９はその具体例を示している。
【０００３】
図において２００は先端部に吐水口２０２を有する吐水管で、２０４はその基端側に配置された、吐水管２００とは別体をなす基体で、その上部に吐水管２００の下端部（基端部）が下向きに嵌入せしめられている。
【０００４】
一方、基体２００の底部には固定用の軸体２０６が締結されていて、この軸体２０６が下向きに延び出している。
軸体２０６は水栓器具をカウンター（取付体）２０８に固定するための部材で、かかる軸体２０６がカウンター２０８を貫通して下向きに突き出している。
【０００５】
そしてカウンター２０８の下側で、締付ナット２１０が軸体２０６の外周面に螺合され、その締付ナット２１０の締込みによって軸体２０６がカウンター２０８に固定され、そしてこの軸体２０６を介して水栓器具がカウンター２０８に取付固定されている。
【０００６】
一方、基体２０４の上部においては、そこに嵌入せしめられた吐水管２００の嵌入部に対して、ピン（連結部材）２１４が基体２０４の外側から打ち込まれており、このピン２１４によって吐水管２００が基体２０４から抜止めされている。即ち吐水管２００と基体２０４とが、それらの重なり部分でピン２１４により連結されている。
【０００７】
しかしながらこの水栓器具の場合、基体２０４及び吐水管２００の連結と、基体２０４及び軸体２０６の連結とを、それぞれ別々の個所で行っているために連結のための所要部品点数が必然的に多く、また組付けのために多くの手間がかかってしまう問題を有する。
【０００８】
【特許文献１】特開２００３−２１３７４３号公報
【発明の開示】
【発明が解決しようとする課題】
【０００９】
本発明は以上のような事情を背景とし、吐水管，基体及び固定用の軸体の連結のための所要部品点数が少なく、また組付けの手間も簡単な水栓器具を提供することを目的としてなされたものである。
【課題を解決するための手段】
【００１０】
而して請求項１のものは、(イ)先端部に吐水口を有する吐水管と、(ロ)該吐水管とは別体をなして該吐水管の基端側に配置され、該吐水管の基端部を内部に嵌入させた基体と、(ハ)該吐水管及び基体をカウンター等取付体に固定するための部材であって、該吐水管側の先端側部分が該吐水管の内部に嵌入し、反対側の部分が該基体から該吐水管とは逆向きに突き出した固定用の軸体と、を有し、且つ該固定用の軸体と該吐水管と該基体とが、それらの重なり部分で、該基体に固定されて該吐水管及び該軸体側に突き出した凸形状をなす共通の連結部材にて連結されていることを特徴とする。
【００１１】
請求項２のものは、請求項１において、前記基体が内側の凹所にバルブカートリッジを収容する水栓本体であって、前記連結部材が該内側の凹所から前記吐水管及び前記軸体側に突き出していることを特徴とする。
【発明の作用・効果】
【００１２】
以上のように本発明は、吐水管の基端部を基体の内部に嵌入させるとともに、固定用の軸体の、吐水管側の先端側部分を吐水管の内部に嵌入し、そして反対側の部分を基体から吐水管とは逆向きに突き出して、その固定用の軸体にて水栓器具をカウンター等の取付体に取付固定するようになし、且つ固定用の軸体と吐水管と基体とを、それらの重なり部分で、基体に固定されて吐水管及び固定用の軸体側に突き出した凸形状をなす共通の連結部材にて互いに連結するようになしたものである。
【００１３】
かかる本発明は、共通の１つの連結部材にて固定用の軸体と吐水管と基体とを連結するものであることから、連結のための所要部品点数を少なくすることができ、これに応じて組付けの手間も簡単となって、水栓器具のコストを低減することができる。
ここで連結部材として軸状の部材、特にビスを好適に用いることができる。
【００１４】
本発明では、バルブカートリッジを収容する凹所を内側に有する水栓本体を上記の基体となし、そして連結部材をその内側の凹所から吐水管及び固定用の軸体側に突き出させて、軸体と吐水管と基体とを互いに連結するようになすことができる（請求項２）。
【００１５】
この場合連結部材が外部に露出するのを防止することができ、その連結部材が外部に露出することによる外観の悪化を回避して、美観を良好となすことができる。
また連結部材が外部に露出するのを防止できることによって、連結部材に汚れが付着して、そのことが水栓器具の外観を更に悪化させてしまったり、また掃除をするに際しても、連結部材及びその周辺に付着した汚れが取り難い問題を解決でき、清掃性も良好となすことができる。
【発明を実施するための最良の形態】
【００１６】
次に本発明の実施形態を図面に基づいて詳しく説明する。
図１において、１０は水栓器具（ここではホース収納水栓、以下単に水栓とする）で、１２は図２に示すカウンター（取付体）１４から起立する水栓本体である。水栓本体１２は、湯水を混合する混合部１６を有している。
この水栓本体１２からはＬ字状をなす吐水管１８が延び出している。吐水管１８は、ホルダ部としての吐水パイプ２０と、吐水口２２を先端側に有する吐水ヘッド２４とから成っている。
【００１７】
吐水ヘッド２４には可撓性のホース２６が接続されており、かかる吐水ヘッド２４が、ホース２６とともに引出可能に吐水パイプ２０にて保持されている。
ここでホース２６はゴム等の弾性材からなる内側のチューブと、これを外側から被覆する蛇腹形状の可撓性を有する金属管との２重管構造をなしている。
【００１８】
２８は水，湯を水栓本体１２の混合部１６に供給するサプライ管で、それぞれの上端部が混合部１６に接続され、サプライ管２８を通じて湯，水が混合部１６へと供給される。
混合部１６は、供給された湯と水とを所定比率で混合し、混合水を、混合部１６に上端が接続された流出管３０を通じて流出する。
この流出管３０の下端部には上記のホース２６が接続されており、流出管３０を通じて流出した混合水が、ホース２６を通じて上記の吐水ヘッド２４へと導かれる。
【００１９】
混合部１６にはレバーハンドル３２が備えられている。
レバーハンドル３２は、正面形状が円形で逆カップ状をなすハンドル基部３４と、これから延び出したレバー部３６とを有している。
この混合部１６では、レバー部３６を混合部１６の軸方向に回動操作することで吐止水と吐水の流量調節とが行われ、また軸周りにレバー部３６を回動操作することで、混合水即ち吐水の温度調節が行われる。
【００２０】
図２において、５６は中空軸体即ち管体をなすホースガイド管で、内側の空間に上記のホース２６を挿通させている。
このホースガイド管５６は、ホース２６の引出し及び収納時の移動案内をなす部材で、水栓本体１２における上記の混合部１６及び混合部１６を支持する、水栓本体１２の一部をなす支持パイプ５０を貫通する形態で、水栓本体１２から下向きに延び出している。
このホースガイド管５６は、取付穴５２においてカウンター１４を上側（表側）から下側（裏側）に貫通して突き出している。
【００２１】
ホースガイド管５６は、下部の外周面に雄ねじ部６４が設けられており、そしてその雄ねじ部６４を設けた部分が、取付穴５２においてカウンター１４を貫通し、下向きに突き出している。
更にその突出し部分が、カウンター１４の裏側に配置された、固定金具６６の挿通孔６８を挿通して下向きに突き出し、そしてこの固定金具６６の下側で、補助ガイド管を兼ねた、ホースガイド管５６よりも管径の大きな円筒状の締付ナット７０が、雌ねじ部７２においてホースガイド管５６の雄ねじ部６４に螺合されている。
【００２２】
そしてこの締付ナット７０の上向きのねじ込みにより、固定金具６６がカウンター１４の裏面に着座状態に締め付けられ、固定金具６６にてホースガイド管５６がカウンター１４に固定され、更にホースガイド管５６の固定により、水栓器具１０がカウンター１４から起立した状態にカウンター１４に取付固定されている。
即ちこの実施形態では、ホースガイド管５６が水栓器具１０の固定用の軸体を成しており、ホースガイド管５６が固定金具６６にてカウンター１４に固定されることで、水栓器具１０全体がカウンター１４に取付固定されている。
【００２３】
上記固定金具６６は、図５に示しているように一対のアーム７４を有する馬蹄形をなすもので、概略中心部に上記の挿通孔６８が形成されている。
また一対のアーム７４と７４との間に、図４に示しているようにサプライ管２８，流出管３０を挿通する挿通空間を形成している。
この馬蹄形をなす固定金具６６の上面には、周縁に沿って所定間隔で複数の鋭利に尖った突起７６が形成されており、それら突起７６をカウンター１４の裏面に喰い込ませるようになっている。
固定金具６６にはまた、挿通孔６８の内周面から挿通孔６８の求心方向（径方向内方）に突出する一対の位置決突起７８が設けられている。
【００２４】
一方ホースガイド管５６には、対応する位置決溝８０が設けられており、それら位置決突起７８と位置決溝８０との嵌合により、固定金具６６とホースガイド管５６との回転方向の相対位置が規定されるようになっている。
尚この固定金具６６は、図３に示しているように下面が傾斜面８２とされている。詳しくはその下面が図中右下がり、つまり混合部１６の突出方向に進むにつれてカウンター１４から離れる方向に傾斜する傾斜面８２とされている。
【００２５】
図３にも示しているように、補助ガイド管を兼ねた円筒形状をなす締付ナット７０には、その下端部に湾曲形状で求心方向（径方向内方）に膨出するガイド部８４が、全周に亘って環状に設けられている。
このガイド部８４は、補助ガイド管を兼ねた締付ナット７０に対してホース２６が出入りする際のガイドをなす部分で、上端部と下端部との各内面が湾曲面８６，９０とされている。
またこの締付ナット７０の下端部の外周面には平坦な切落し形状の係合面９２が形成されており、その係合面９２に工具を係合させることで締付ナット７０を回転操作できるようになしてある。
【００２６】
図２において、３８はバルブカートリッジ４０とともに混合部１６のバルブを構成するボデー（バルブボデー）で、ここではボデー３８は金属ブロックから成っている。
ボデー３８は凹所３９を有しており、そこにバルブカートリッジ４０が挿入され、ボデー３８に対して組み付けられている。
ここでボデー３８の凹所３９の内周面には雌ねじ部４２が形成され、またバルブカートリッジ４０の外周面には雄ねじ部４４が形成されていて、それら雌ねじ部４２と雄ねじ部４４とにおいて、バルブカートリッジ４０がボデー３８にねじ結合されている。
【００２７】
バルブカートリッジ４０の内部には、固定弁体と、固定弁体上を摺動する可動弁体とが組み込まれており、その可動弁体が固定弁体に対して摺動することで、上記の吐止水と吐水の流量調節及び吐水の温度調節が行われる。
上記シングルレバーハンドル３２は、ハンドル基部３４においてその可動弁体に作動的に連結され、レバー部３６の回動運動が可動弁体に伝えられて、可動弁体が摺動運動するようになしてある。
【００２８】
ボデー３８には、上記サプライ管２８を通じて供給されてきた水，湯をバルブカートリッジ４０に向けて流通させる流入側の内部通路９４が形成されており、更にバルブカートリッジ４０からの混合水を流出管３０に導く、流出側の内部通路９６が形成されている。
流出管３０は、この流出側の内部通路９６に対して接続パイプ９８を介して接続されている。
【００２９】
ボデー３８の図中左端側には、図６にも示しているようにこれを上下方向に貫通する貫通孔６２が形成されている。
貫通孔６２は、その下部と上部とが嵌入孔４６，４８とされており、そして嵌入孔４６に上記の支持パイプ５０の上端部が上向きに嵌入されている。
また上部の嵌入孔４８に吐水管１８、詳しくは吐水パイプ２０の下端部（基端部）が嵌入されている。
【００３０】
上記固定用の軸体としてのホースガイド管５６は、貫通孔６２においてボデー３８を上下方向に貫通しており、そしてその上部が吐水パイプ２０の内部に嵌入せしめられている。
尚この嵌入部分において、ホースガイド管５６と吐水パイプ２０との間にはスリーブ５８が介装されている。
【００３１】
またホースガイド管５６における上記の嵌入部分の外周面には、ゴム弾性体から成るＯリング１００が上下２個所に保持されており、ホースガイド管５０とスリーブ５８とが、これらＯリング１００を介して互いに弾性嵌合せしめられている。
【００３２】
ホースガイド管５６は、ボデー３８の嵌入孔４８内において環状のフランジ部６０を一体に有しており、このフランジ部６０が嵌入孔４８の底部に着座せしめられている。
従ってホースガイド管５６は、混合部１６のボデー３８にて支持されている。
【００３３】
このホースガイド管５６は、下部の嵌入孔４６と上部の嵌入孔４８との間の部分が、貫通孔６２の内周面に嵌合せしめられている。
その嵌合部分において、ホースガイド管５６の外周面にはＯリング１０２が上下２個所に保持されており、それらＯリング１０２を介してホースガイド管５６が貫通孔６２の内周面に弾性嵌合せしめられている。
【００３４】
尚支持パイプ５６の下端部には、カウンター１４における取付穴５２よりも大径のテーパ状をなす着座部５４が設けられており、支持パイプ５０が、この着座部５４においてカウンター１４の上面に、且つ取付穴５２を覆う状態に着座させられている。
【００３５】
上記混合部１６におけるボデー３８には、内側の凹所３９から上部の嵌入孔４８に到る貫通の雌ねじ孔１０３が設けられており、そこに軸状を成すビス１０４（連結部材）がねじ込まれている。
ビス１０４は大径の頭部１０６を有しており、その頭部１０６が凹所３９内に位置させられている。従ってビス１０４の頭部１０６は、凹所３９に組み付けられたバルブカートリッジ４０にて隠蔽状態とされている。
【００３６】
一方吐水パイプ２０には、図６，図７に示すように対応する高さ位置に、周方向に円弧状をなす長穴形状の挿通穴１０８が設けられ、また固定用の軸体としてのホースガイド管５６には、同じ高さ位置に円形且つ底付きの嵌込穴１１０が設けられている。
そして上記ビス１０４の先端部が、図７に詳しく示すようにこの吐水パイプ１８の挿通穴１０８を挿通して、ホースガイド管５６の嵌込穴１１０に嵌め込まれている。
【００３７】
以上から明らかなようにこの実施形態では、吐水パイプ２０とホースガイド管５６及び混合部１６におけるボデー３８が、互いの重なり部分で単一のビス１０４にて連結され、吐水パイプ２０及びホースガイド管５６が、ボデー３８に対し図中上向きに抜け防止されている。
【００３８】
尚、吐水パイプ２０の挿通穴１０８は周方向に円弧状の長穴形状をなすものであることから、吐水パイプ２０はビス１０４による抜止状態で、挿通穴１０８の周長分だけ嵌入孔４８の軸心周りに回転可能である。
そして挿通穴１０８の周方向端がビス１０４に当ったところで、そこで回転規制される。
即ちビス１０４は、連結による抜止めの働きと併せて、吐水パイプ２０の回転規制を行うストッパとしても働いている。
但し吐水パイプ２０の挿通穴１０８を円形の挿通穴として、吐水パイプ２０を回転方向に固定状態となしておくことも可能である。
【００３９】
この実施形態では、ホースガイド管５６を取付穴５２においてカウンター１４を貫通して下向きに突き出し、そしてカウンター１４の下側で、ホースガイド管５６を固定金具６６の挿通孔６８に挿通した上で、固定金具６６の下側から補助ガイド管を兼ねた円筒形状の締付ナット７０をホースガイド管５６の雄ねじ部６４に螺合する。
そして締付ナット７０を上向きにねじ込んで、固定金具６６をカウンター１４の裏面に締め付け、かかる固定金具６６にてホースガイド管６４をカウンター１４に固定し、水栓本体１２をカウンター１４から起立した状態にカウンター１４に取付固定することができる。
【００４０】
以上のような本実施形態は、共通の１つのビス１０４にて固定用の軸体としてのホースガイド管５６と吐水管１８と基体としての水栓本体１２、詳しくは混合部１６のボデー３８とを連結するものであることから、連結のための所要部品点数を少なくすることができ、これに応じて組付けの手間も簡単となって、水栓器具１０のコストを低減することができる。
尚この例では連結部材としてビス１０４を用いているが、ピンその他の連結部材を用いることも可能である。
【００４１】
本実施形態では、バルブカートリッジ４０を収容するボデー３８の内側の凹所３９からビス１０４を吐水管１８及びホースガイド管５６側に突き出させて、ホースガイド管５６と吐水管１８とボデー３８とを互いに連結しているため、ビス１０４が外部に露出するのを防止でき、ビス１０４が外部に露出することによる外観の悪化を回避して、美観を良好となすことができる。
またビス１０４が外部に露出するのを防止できることによって、ビス１０４の頭部に汚れが付着して、そのことが水栓器具１０の外観を悪化させてしまったり、また掃除をするに際しても、ビス１０４及びその周辺に付着した汚れが取り難い問題を解決でき、清掃性も良好となすことができる。
【００４２】
図８は本発明の他の実施形態を示している。
この例は、水栓本体１２から吐水部１１２を離隔させて、水栓本体１２と吐水部１１２とを別々にカウンター１４に取付固定するようになした例である。
吐水部１１２においては、吐水管１８が台座部材（基体）１１４から延び出しており、その吐水管１８の先端部の吐水ヘッド２４に対して、ホース２６が吐水パイプ２０を挿通して接続されている。
尚、ホース２６は水栓本体１２から延び出した流出管３０に接続されている点で、また吐水部１１２側において、ホース２６が図８（Ｂ）に示しているようにホースガイド管５６の内部に挿通され、ホース２６の出入れの際にホースガイド管５６によってホース２６が移動案内される点で上記の実施形態と同様である。
【００４３】
この実施形態では、台座部材１１４に上下方向の貫通孔６２が形成されていて、そこにホースガイド管５６が挿通されている。
また台座部材１１４の嵌入孔４８に、吐水パイプ２０の下端部（基端部）が下向きに嵌入されている。
更にこの吐水パイプ２０とホースガイド管５６とには、上記実施形態と同様に挿通穴１０８，嵌込穴１１０が設けられている。
【００４４】
一方台座部材１１４には、横向きに貫通の雌ねじ孔１０３が形成されていて、そこに頭部１０６付きのビス１０４がねじ込まれ、その先端部が吐水パイプ２０の挿通穴１０８を挿通して、ホースガイド管５６の嵌込穴１１０内に嵌め込まれている。
そしてこれにより水栓器具の一部をなす吐水部１１２の固定用の軸体としてのホースガイド管５６と、吐水パイプ２０及び台座部材１１４が、それらの重なり部分で１つのビス１０４で互いに連結され、ホースガイド管５６と吐水パイプ２０及び台座部材１１４が上下方向に固定されている。
尚図８（Ｂ）において、１１４はホースガイド管５６の外周面に螺合された締付ナットで、１１６はゴム製のパッキンである。
【００４５】
以上本発明の実施形態を詳述したがこれはあくまで一例示であり、本発明はその趣旨を逸脱しない範囲において種々変更を加えた形態で構成可能である。
【図面の簡単な説明】
【００４６】
【図１】本発明の一実施形態である水栓器具の全体斜視図である。
【図２】同実施形態の要部断面図である。
【図３】図２の要部の正面図及び正面断面図である。
【図４】同実施形態における固定金具を周辺部とともに示す平面図（一部断面図）図である。
【図５】図４の固定金具をホースガイド管とともに示す斜視図である。
【図６】同実施形態の水栓器具の要部分解斜視図である。
【図７】同実施形態におけるビスによる連結構造を示す要部断面図である。
【図８】本発明の別の実施形態を示す図である。
【図９】従来の水栓器具の一例を示した図である。
【符号の説明】
【００４７】
１０  水栓器具
１２  水栓本体（基体）
１４  カウンター（取付体）
１８  吐水管
２０  吐水パイプ
２２  吐水口
３８  ボデー
３９  凹所
４０  バルブカートリッジ
５６  ホースガイド管（固定用の軸体）
１０４  ビス（連結部材）
１１４  台座部材（基体）
【図１】
0005234579.tif 000002
【図２】
0005234579.tif 000003
【図３】
0005234579.tif 000004
【図４】
0005234579.tif 000005
【図５】
0005234579.tif 000006
【図６】
0005234579.tif 000007
【図７】
0005234579.tif 000008
【図８】
0005234579.tif 000009
【図９】
0005234579.tif 000010